(57)【要約】  表示装置は、一軸方向に沿った断面において湾曲形状を有し、表示画面が凹面を含む表示パネルを備え、表示画面の前記湾曲形状の曲率半径（Ｒ）は２０００ｍｍより大きいものである。
2014002688.tif 000002
【特許請求の範囲】
【請求項１】
一軸方向に沿った断面において湾曲形状を有し、表示画面が凹面を含む表示パネルを備え、
前記表示画面の前記湾曲形状の曲率半径（Ｒ）は２０００ｍｍより大きい
表示装置。
【請求項２】
前記表示画面の前記湾曲形状の曲率半径（Ｒ）は４０００ｍｍ以上８０００ｍｍ以下である
請求項１記載の表示装置。
【請求項３】
前記表示パネルを支持するスタンドを備え、
前記スタンドの観察者側の縁部は、前記表示パネルよりも曲率半径の小さな湾曲形状を有する
請求項１記載の表示装置。
【請求項４】
前記表示パネルの前記一軸方向における端部において、少なくとも一部が、前記表示パネルの前記表示画面とは反対側の面に重なって設けられた音声出力部材を更に備えた
請求項１に記載の表示装置。
【請求項５】
前記表示パネルの前記表示画面の周辺領域のうちの少なくとも一部に、明るさおよび色の少なくとも一方を変更制御可能な照明部を備えた
請求項１記載の表示装置。
【請求項６】
前記表示パネルは矩形状であり、
前記照明部は、前記表示パネルの前記矩形状の対向する２つの長辺に沿った帯状の領域に設けられている
請求項５に記載の表示装置。
【請求項７】
前記表示パネルは矩形状であると共に、前記矩形状の長手方向に沿った断面形状が前記湾曲形状を有し、
前記音声出力部材は、前記表示パネルの前記矩形状の対向する２つの短辺に沿って設けられている
請求項４に記載の表示装置。
【発明の詳細な説明】
【技術分野】
【０００１】
本開示は、大型テレビジョン装置等に好適な表示装置に関する。
【背景技術】
【０００２】
テレビジョン受像機やＰＣ（Personal Computer）モニター等の表示装置は、ブラウン管から液晶あるいはプラズマディスプレイを代表とするＦＰＤ（フラットディスプレイ）に移行し、現在は、そのほとんどがＦＰＤとなっている。この理由としては、映像ソースが空間の一平面を切り取った平面画像であるのに対し、ブラウン管は、凸状の変形が避けられないこと、および大型化に限界があること、表示解像度の高精細化に対応しにくいこと等が挙げられる。【０００３】
このようなＦＰＤでは、例えば表示画面を有する表示部本体が、スタンドなどにより所定の姿勢状態に支持され、また、表示画面の左右両側には、スピーカが配設される（例えば、特許文献１，２）。
【先行技術文献】
【特許文献】
【０００４】
【特許文献１】特許第４２５３３５０号公報
【特許文献２】特開２００６−３５０１４５号公報
【発明の概要】
【０００５】
近年、３Ｄ表示に代表される様に、視聴者（観察者）が表示画像を見る際に、立体感、一体感あるいは臨場感により表示画像に対して没入感を得る湾曲形状や、他の様々な用途で使用され得る湾曲形状を実現することが可能な表示装置の実現が望まれている。
【０００６】
したがって、表示画像に対し観察者が没入感を得ることが可能な表示装置を提供することが望ましい。
【０００７】
本開示の一実施の形態の表示装置は、一軸方向に沿った断面において湾曲形状を有し、表示画面が凹面を含む表示パネルを備え、表示画面の湾曲形状の曲率半径（Ｒ）は２０００ｍｍより大きいものである。
【０００８】
本開示の一実施の形態の表示装置では、所定の湾曲形状を有する表示パネルにおいて、表示画面の湾曲形状の曲率半径（Ｒ）が２０００ｍｍより大きいことにより、表示パネルの割れが抑制され、湾曲形状が保持される。
【０００９】
本開示の一実施の形態の表示装置によれば、所定の湾曲形状を有する表示パネルにおいて、表示画面の湾曲形状の曲率半径（Ｒ）が２０００ｍｍより大きいことにより、表示パネルの割れを抑制して、湾曲形状を保持することが可能となる。例えば視覚的な立体感や一体感、臨場感等が違和感なく得られるような緩やかな湾曲形状、あるいはユーザの全視野を囲むような湾曲形状等、用途に応じた湾曲形状を実現できる。よって、製造性を保持しつつ所望の湾曲形状を得ることが可能となる。
【図面の簡単な説明】
【００１０】
【図１】本開示の実施の形態に係る表示装置の前面側から見た外観の一例を表す斜視図である。
【図２】図１に示した表示装置の（Ａ）正面図、（Ｂ）側面図、（Ｃ）上面図、（Ｄ）背面図である。
【図３】図１に示した表示パネルの構成の一例を表す断面図である。
【図４】表示パネルの曲率半径とガラス最大ずれ量との関係を表す特性図である。
【図５】画面サイズを変化させた場合の曲率半径と最大ずれ量との関係を表す特性図である。
【図６】湾曲形状の一例を表す模式図である。
【図７】図１に示したスピーカ部の構成の一例を説明するための断面図である。
【図８】図１に示した表示パネルおよびスタンドの湾曲形状の一例を表す上面図である。
【図９Ａ】図１に示したスタンドの他の構成例を表す上面図である。
【図９Ｂ】図１に示したスタンドの他の構成例を表す上面図である。
【図９Ｃ】図１に示したスタンドの他の構成例を表す上面図である。
【図１０】図１に示した帯状照明部の概略構成を表す断面図である。
【図１１Ａ】図１に示した表示装置の効果を説明するための模式図である。
【図１１Ｂ】図１に示した表示装置の効果を説明するための模式図である。
【発明を実施するための形態】
【００１１】
以下、本開示の実施の形態について図面を参照して詳細に説明する。なお、説明は以下の順序で行う。
・実施の形態（液晶表示装置の例）
１．構成
１−１．液晶パネルの構成
１−２．スピーカ部の構成
１−３．スタンドの構成
１−４．帯状照明部の構成
２．作用、効果
【００１２】
＜実施の形態＞
［構成］
図１は、本開示の一実施の形態に係る表示装置（表示装置１）を前面側から見た外観を表したものである。図２（Ａ）〜（Ｄ）はそれぞれ、表示装置１の正面図、側面図、上面図、背面図である。表示装置１は、例えばテレビジョン装置として用いられるものであり、表示パネル（液晶パネル１１）を含む本体部分が、スタンド（スタンド１４）により支持され、所定の姿勢状態に保持されている。これにより、表示装置１は、床，棚または台などの水平面に載置される据置型として用いられるが、スタンド１４を本体部分から取り外した状態で壁掛型として用いられてもよい。
【００１３】
表示装置１は、例えば、液晶パネル１１の一軸方向における端部（ここでは、Ｘ方向における左右端部）には、スピーカ部１２（音声出力部材）が設置されている。液晶パネル１１の上下面には化粧部材１３が被せられ、背面（表示画面と反対側の面）は後部外装部材（リアカバー、図１には図示せず）により覆われている。化粧部材１３には、後述する帯状照明部１５が埋設されている。
【００１４】
（液晶パネル１１）
液晶パネル１１は、例えば、液晶セルの一面側（表示装置１の背面側）に光学シート、導光板および反射部材等を備えて成るものである。液晶セルは、一対の基板間に液晶を封止してなるものであり、液晶セルを駆動するため、例えばソースドライバ、ソース基板を備えている。光学シート類は、例えば、拡散板，拡散シート，レンズフィルム，偏光分離シートなどを含んでいる。導光板は、光源（図示せず）からの光を液晶パネル１１側へと導くものであり、例えば、ポリカーボネート樹脂（ＰＣ）またはアクリル樹脂（例えば、ＰＭＭＡ（ポリメチルメタクリレート））などの透明熱可塑性樹脂を主に含んで構成されている。反射部材は、導光板の裏側へ出射してきた光を導光板内へ戻すものであり、発泡ＰＥＴ（ポリエチレンテレフタレート），銀蒸着フィルム，多層膜反射フィルム，または白色ＰＥＴなどの板状またはシート状部材である。
【００１５】
液晶パネル１１の主要な構成要素（液晶セル，光学シート，導光板および反射部材）は、いずれもガラスまたは樹脂よりなる薄い板状またはシート状の可撓性部材により構成されている。従って、液晶パネル１１は全体として可撓性を有している。
【００１６】
この液晶パネル１１は、ＸＹ平面形状が矩形状であり、その一軸方向（Ｘ方向）に沿った断面（ＸＺ断面）が湾曲形状を有している（一軸方向に沿って円孤状に湾曲した部分を有している）。図３に液晶パネル１１のＸＺ断面形状の一例を示す。このように、本実施の形態では、液晶パネル１１が、Ｘ方向において中央部から端部に向かって緩やかに、かつ一定の曲率で湾曲している。また、液晶パネル１１は、前方（表示側）に凹面を向ける（後方（背面側）に凸となる）ように湾曲しており、液晶パネル１１の表示画面１１ａが凹曲面Ｓ１を成している。これにより、観察者が、液晶パネル１１を前方正面から観察したとき、あたかも中央部が左右端部よりも緩やかに細くなるように視認されるので、遠近法の視覚効果により没入感を生み出すことが可能となる。
【００１７】
液晶パネル１１の湾曲形状の曲率半径（凹曲面Ｓ１の曲率半径）Ｒは、２０００ｍｍよりも大きくなっている。また、例えば表示画面１１ａが大型（例えば４０インチ以上）の場合、例えば４０００ｍｍ以上８０００ｍｍ以下であることが望ましく、例えば６０００ｍｍである。図４に、曲率半径Ｒ（ｍｍ）とガラス基板の最大ずれ量（μｍ）との関係（画面サイズ：５５インチ）について示す。液晶パネル１１内の液晶セルは２枚のガラス基板間に液晶材料を挟持したものであり、この液晶セルを変形させた場合、２枚のガラス基板に平面的なずれが生じることがある。ガラス基板の最大ずれ量とは、そのような平面的なずれ量を示すものである。ガラス基板に位置ずれが生じると、ガラス基板の表面に形成されたブラックマトリクス層と、対向する他方のガラス基板に形成されたカラーフィルタ層が所望の位置からずれて配置され、明るさが低減したり、混色が生じたりして、画質に悪影響を与えるおそれがある。
【００１８】
また、上記のような曲率半径Ｒ（ｍｍ）に対する最大ずれ量（μｍ）について、画面サイズ４０インチ，６５インチのものについても同様の測定を行ったところ、図５に示したように、画面サイズ５５インチの場合と同様の傾向がみられた。このような傾向は、画面サイズが６５インチよりも大きなものにも同様に生じるものと考えられる。但し、図５の縦軸は、円孤長（画面サイズに相当：ｍｍ）に対する最大ずれ量（μｍ）の比を縦軸にとったものを示す。
【００１９】
図４，５に示したように、湾曲形状における曲率半径を小さくし過ぎると、ガラス基板の最大ずれ量が急激に増加する傾向がある。特に、曲率半径Ｒが２０００ｍｍ以下となると、ガラス基板が割れ、湾曲形状を維持できないことが実験的にわかっている。従って、湾曲形状の曲率半径Ｒは２０００ｍｍより大きいことにより、ガラス基板の割れを抑制して、製造性を維持することができる。ここで、表示装置の用途に応じて様々な湾曲形状の実現が望まれている。
【００２０】
例えば、図６に示したように、ユーザ２の全視野を囲むように、極端に小さな曲率半径Ｒの湾曲形状を有するディスプレイ１ａでは、曲率半径Ｒが２０００ｍｍ以下とならない範囲において湾曲形状が設計されることが望ましい。このようなディスプレイ１ａは、例えば１つの画面に様々な画像，映像，文字等を含む複数のコンテンツ（Ｃ１，Ｃ２，Ｃ３，Ｃ４…）が同時に表示されるものであり、多情報を提示する用途において好適に使用されるものである。
【００２１】
この一方で、映画等の映像を表示し、ユーザ（視聴者）に没入感を与え得るような湾曲形状を設計する場合には、曲率半径が４０００ｍｍよりも小さいと、視聴者は違和感を覚えやすく、逆に８０００ｍｍを超えると、最大ずれ量は低減するものの、意図した没入感が得にくい、ことが統計的にわかっている。よって、液晶パネル１１の湾曲形状の曲率半径Ｒは、製造性の観点から２０００ｍｍより大きく、特に没入感が求められる用途では、４０００ｍｍ以上８０００ｍｍ以下であることが望ましい。
【００２２】
尚、液晶パネル１１の湾曲形状は、Ｘ方向においては、曲率半径が必ずしも一定である必要はない。例えば、ある地点から端部に向かって曲率が変化する変局点を有していてもよいし、局所的な領域のみ他の領域と曲率が異なっていてもよい。但し、液晶パネル１１のＸ方向における中央部に対して対称形となっていることが望ましい。また、観察者と表示画面との空間においてＸ方向に延びる直線部分をできるだけ含まない（例えば５０ｍｍ以下）ことが望ましく、全てが曲線部分によって構成されることがより望ましい。
【００２３】
（スピーカ部１２）
図７は、表示装置１の要部構成を背面側からみた斜視図である。具体的には、液晶パネル１１およびスピーカ部１２と、液晶パネル１１の湾曲形状を保持する枠部材３０および板部材４０とを示している。スピーカ部１２は、例えば、液晶パネル１１のＸ方向における端部、具体的には液晶パネル１１の矩形状の各辺のうち対向する２つの短辺に沿った領域に設けられている。このように、表示装置１では、液晶パネル１１の左右端部にスピーカ部１２が設けられている。但し、図７では、簡便化のため、一方の端部側の図示を省略しているが、スピーカ部１２は、液晶パネル１１のもう一方の端部にも左右対称形となるように設けられている。スピーカ部１２を液晶パネル１１の左右端に配置することにより、映像と音とが効果的に調和して、上述した液晶パネル１１の湾曲形状による視覚効果とスピーカ１２による聴覚効果とが相俟って、没入感を強めることができる。
【００２４】
板部材４０は、金属または樹脂よりなる可撓性の板である。この板部材４０の背面側には、枠部材３０が設けられると共に、ソース基板，タイミングコントローラ基板，バックライト光源を制御するドライバ基板などの基板類６０が実装されている。枠部材３０は、板部材４０の背面において一方向（Ｘ方向およびＹ方向）に延在している。板部材４０の前面に、液晶パネル１１が積層されている。これらの枠部材３０および板部材４０は、Ｘ方向に沿って円弧状に湾曲した形状を有しており、これらによって、液晶パネル１１の湾曲形状が保持されるようになっている。但し、これらの枠部材３０および板部材４０の構成は一例であり、液晶パネル１１の湾曲形状が保持されれば、このような構成に限定される訳ではない。
【００２５】
枠部材３０の側面の左右端部近傍には、前方（表示側）に屈曲する屈曲部３０ａが設けられていることが望ましい。これにより、枠部材３０と図示しない後部外装部材との間に広い空間が形成され、後述するスピーカ部１２の容量が確保され易くなる。
【００２６】
このようなスピーカ部１２は、液晶パネル１１の左右端部において、少なくとも一部が、液晶パネルの背面に重なって設けられている（背面側に張り出して、あるいは回り込んで、設けられている）。なお、後部外装部材１４の外面は、液晶パネル１１と同様の湾曲形状を有していてもよいが、例えば図２（Ｃ）に示したように、平坦面となっていることが好ましい。これにより、液晶パネル１１の左右端部では、液晶パネル１１と後部外装部材との間に広い空間が形成され、後述するスピーカ部１２の容量が確保され易くなる。
【００２７】
スピーカ部１２は、例えば、１または複数のスピーカユニット（ここでは、２つのスピーカユニット１２Ａ，１２Ｂ）を含むスピーカボックスであり、これらのスピーカユニット１２Ａ，１２Ｂの音声出力側には、例えばスピーカグリル１２Ｃ（スピーカネット）が設けられている。スピーカユニット１２Ａ，１２Ｂは、音声（音楽および効果音を含む）を外部へ出力する機器であり、液晶パネル１１の左右端部において、互いに上下に積載されている。このような構成において、例えばスピーカユニット１２Ａがメインスピーカ、スピーカユニット１２Ｂがサブスピーカとして機能するようになっている。
【００２８】
（スタンド１４）
スタンド１４は、例えば、液晶パネル１１の背面下部に、連結部材１７（図２（Ｄ））によって、取り付けられている。このスタンド１４は、表示側（観察者側，前方）の縁部分が、上述した液晶パネル１１の湾曲形状に応じた所定の湾曲形状を有している。図８に、表示装置１を上面からみた場合の要部構成（液晶パネル１１，化粧部材１３およびスタンド１４）について示す。このように、スタンド１４の表示側の縁部１４０は、液晶パネル１１の表示画面（凹曲面Ｓ１）よりも小さな曲率半径を有する凹曲面Ｓ２を有している。一方、スタンド１４の背面側は液晶パネル１１よりも大きく張り出して設けられ、後方側の縁部分は湾曲形状を有していない。これにより、例えば、スタンド１４の左右端部の一部のみが、液晶パネル１１の前方に張り出して設けられ、スタンド１４の大部分は、液晶パネル１１の下方あるいは背面側に隠された（観察者から見えない）配置となる。これにより、表示装置１の意匠性が向上する。このスタンド１４の湾曲形状の曲率半径は、液晶パネル１１の曲率半径Ｒよりも小さくなっていればよく、例えば４１００ｍｍである。尚、液晶パネル１１を駆動する回路基板等は、液晶パネル１１の背面中央付近に配設されるため、液晶パネル１１が湾曲形状を有していても、液晶パネル１１の重心が大きくずれることはない。
【００２９】
図９Ａ〜図９Ｃに、上記のような湾曲形状を有するスタンド１４の他の例を示す。上述の例では、スタンド１４を液晶パネル１１の長辺に沿って連続した（一体的な）形状としたが、図９Ａに示したように、左右に分離された形状であってもよい（液晶パネル１１の左右端部にそれぞれスタンド１４ａが設けられていてもよい）。但し、この場合も、２つのスタンド１４ａのそれぞれの縁部１４１が、同一の凹曲面Ｓ２を成すような湾曲形状を有していることが望ましい。また、液晶パネル１１の左右端部に、図９Ｂに示したようなスタンド１４ｂが設けられていてもよい。この場合も、２つのスタンド１４ｂのそれぞれの縁部１４２が、同一の凹曲面Ｓ３を成すような湾曲形状を有していることが望ましい。更に、図９Ｃに示したように、液晶パネル１１の背面側の縁部１４３が曲面Ｓ４を成す湾曲形状を有していてもよい。この背面側の縁部１４３の曲面Ｓ４の曲率半径は特に限定されず、また曲面Ｓ４は、凹曲面であってもよいし、凸曲面であってもよい。
【００３０】
（帯状照明部１５）
本実施の形態では、上記液晶パネル１１の表示画面の周辺領域の少なくとも一部に、帯状照明部１５が設けられている。ここでは、図１に示したように、液晶パネル１１の上部および下部に被せられた化粧部材１３に、帯状照明部１５が設けられている。即ち、帯状照明部１５は、液晶パネル１１の額縁領域の上下辺に沿って設けられている。また、化粧部材１３に設けられることにより、観察者に向けて表示画像に応じた色の光を化粧部材１３から照明可能となっている。
【００３１】
図１０は、帯状照明部１５の断面構成を表したものである。帯状照明部１５は、例えばＬＥＤ光源１７０と、このＬＥＤ１７０から発せられた光を面発光させる導光板１７１と、導光板１７１上に積層された光学機能層（拡散板１７２および減光フィルタ１７３）を含む照明素子である。
【００３２】
導光板１７１は、例えば厚さ２ｍｍのアクリル板の一面に一般的な光散乱処理が施されたものであり、この導光板１７１の左右端部にＬＥＤ光源１７０が設けられている。ＬＥＤ光源１７０は、個々に点灯制御が可能なＲ，Ｇ，Ｂの３色のＬＥＤチップを内蔵しており、それらの点灯制御によって、帯状照明部１５では、様々な諧調の色光を照明可能となっている。拡散板１７２は、樹脂中に光散乱剤を混在させたものであり、液晶表示装置に一般に使用される樹脂板である。減光フィルタ１７３は、透明樹脂中に黒色樹脂を混入させたものである。この減光フィルタ１７３が表示側（観察者側、前方）に設けられることにより、ＬＥＤ光源１７０の非発光時には黒色、ＬＥＤ光源１７０の発光時にはその発光色がそれぞれ観察される。
【００３３】
このような帯状照明部１５を化粧部材１３に設けることにより、液晶パネル１１の額縁上下辺を黒から任意の色、明るさに照明することができる。ここで、上述した液晶パネル１１の湾曲形状による遠近法同様の効果は、表示画面の周辺領域の視覚的な印象にも大きな影響を受ける。このため、液晶パネル１１の額縁上下辺を黒から任意の色、明るさに照明することにより、立体感、臨場感等の視覚的な効果を物理的な湾曲形状を変える事なく、調整する事が可能となる。例えば、表示画面の周辺領域を黒色等の目視しにくい色・明るさとした場合には、湾曲効果は最小となり、逆に白色等の目視し易い色・明るさとした場合には、湾曲効果は最大となる。従って、例えば表示装置１の設置環境（室内の明るさ、壁や設置台の色等）に応じて額縁の色を変更可能となり、より没入感を高めることができる。
【００３４】
尚、上記実施の形態において、液晶表示パネルの表示画面の周辺領域（非表示部）では、図２（Ａ）に示したように、上下方向（Ｙ方向）の幅Ａと、左右方向（Ｘ方向）の幅Ｂとが、Ａ：Ｂ＝１：３以上（Ｂ／Ａが３以上）となっていることが望ましい。例えば、化粧部材１３のＹ方向の幅Ａが３０ｍｍである場合、左右方向の幅Ｂは、スピーカ部１２を含め１２０ｍｍとなっている。また、化粧部材１３の幅Ａは上下で異なっていてもよく、例えば、上側の化粧部材１３の幅を３０ｍｍ、下側の化粧部材１３の幅を５０ｍｍとしてもよい。尚、表示画面の上下で幅が異なるように設定した場合には、上下の各幅の平均値をＡとして上記条件を満足していればよい。このような比率を用いることで、表示画面のアスペクト比を高く感じ易くなり、一体感、臨場感が増す。
【００３５】
［作用、効果］
以上のように、本実施の形態では、液晶パネル１１の湾曲形状の曲率半径（Ｒ）が２０００ｍｍより大きいことにより、液晶パネル（ガラス基板）の割れを抑制して、湾曲形状を保持することが可能となる。これにより、例えば没入感が違和感なく得られるような緩やかな湾曲形状、あるいはユーザの全視野を囲むような極端な湾曲形状等、用途に応じた湾曲形状を実現できる。よって、製造性を保持しつつ所望の湾曲形状を得ることが可能となる。
【００３６】
また、所定の湾曲形状を有する液晶パネル１１の端部にスピーカ部１２を備え、このスピーカ部１２の少なくとも一部が、表示画面とは反対側の背面に設けられている。これにより、液晶パネル１１の湾曲形状によって生じたパネル背面の空間（スペース）を、スピーカ部１２の設置スペースとして利用することができる。
【００３７】
ここで、図１１Ａに本実施の形態のスピーカ部１２の設置スペース（スピーカ容量Ｃ１）、図１１Ｂに比較例として、従来の平板状の（フラットな）液晶パネル１０１を備えたＦＰＤのスピーカ容量Ｃ１００について、模式的に示す。図１１Ｂに示したように、比較例では、液晶パネル１０１の背面側に十分な空間がなく、スピーカ容量としては、液晶パネル１０１の側面に対向する領域のみである。本実施の形態では、液晶パネル１１が所定の湾曲形状を有することにより、液晶パネル１１の側面に対向する領域に加え、背面側にも大きな空間が生じるため、この空間を利用してスピーカ容量Ｃ１を大きく確保することができる。従って、本実施の形態では、ＦＰＤに比べ、スピーカ部１２の容量を確保し易くなる。これにより、スピーカ部１２において、例えば出力増大あるいは音質向上等を図ることが可能となる。よって、液晶パネル１１の湾曲形状による視覚的な効果（立体感、一体感および臨場感）に加え、音声出力部材の高性能化による聴覚的な効果が相乗的に得られる。観察者が表示画像に対してより没入感を得ることが可能となる。
【００３８】
以上、実施の形態を挙げて説明したが、本開示内容は上記実施の形態に限定されるものではなく、種々の変形が可能である。例えば、上記実施の形態では、スピーカ部１２の前面部（スピーカグリル１２Ｃ）が液晶パネル１１の表示画面と異なる面方向に沿って（パネルとスピーカとの連結部分が屈曲して）設けられている。スピーカ部１２の配置はこれに限定されず、例えばスピーカ部１２は、表示画面と同一の面方向に沿って（パネルとスピーカとの連結部分がフラットになるように）設けられていてもよい。
【００３９】
また、上記実施の形態では、液晶パネル１１の湾曲形状における曲率半径が一定である場合を例示したが、湾曲形状における曲率半径は、必ずしも一定でなくともよく、徐々に変化してもよいし、一部の領域において他の領域と曲率半径が異なっていてもよい。スタンド１４の湾曲形状についても同様で、曲率半径が一定である場合に限られない。
【００４０】
更に、例えば、上記実施の形態において説明した各層の材料および厚みなどは限定されるものではなく、他の材料および厚みとしてもよい。
【００４１】
更にまた、例えば、上記実施の形態において表示装置１（テレビジョン装置）の構成を具体的に挙げて説明したが、全ての構成要素を備える必要はなく、また、他の構成要素を更に備えていてもよい。
【００４２】
本開示は、上記実施の形態で説明したテレビジョン装置のほか、ＰＣ（Personal Computer）のモニター、パブリックディスプレイなど、外部から入力された映像信号あるいは内部で生成した映像信号を、画像あるいは映像として表示するあらゆる分野の電子機器に広く適用することが可能である。
【００４３】
なお、本開示内容は以下のような構成を取ることも可能である。
（１）
一軸方向に沿った断面において湾曲形状を有し、表示画面が凹面を含む表示パネルを備え、前記表示画面の前記湾曲形状の曲率半径（Ｒ）は２０００ｍｍより大きい
表示装置。
（２）
前記表示画面の前記湾曲形状の曲率半径（Ｒ）は４０００ｍｍ以上８０００ｍｍ以下である
上記（１）に記載の表示装置。
（３）
前記表示パネルを支持するスタンドを備え、
前記スタンドの観察者側の縁部は、前記表示パネルよりも曲率半径の小さな湾曲形状を有する
上記（１）または（２）に記載の表示装置。
（４）
前記表示パネルの前記一軸方向における端部において、少なくとも一部が、前記表示パネルの前記表示画面とは反対側の面に重なって設けられた音声出力部材を更に備えた
上記（１）〜（３）のいずれかに記載の表示装置。
（５）
前記表示パネルの前記表示画面の周辺領域のうちの少なくとも一部に、明るさおよび色の少なくとも一方を変更制御可能な照明部を備えた
上記（１）〜（４）のいずれかに記載の表示装置。
（６）
前記表示パネルは矩形状であり、
前記照明部は、前記表示パネルの前記矩形状の対向する２つの長辺に沿った帯状の領域に設けられている
上記（５）に記載の表示装置。
（７）
前記表示パネルは矩形状であると共に、前記矩形状の長手方向に沿った断面形状が前記湾曲形状を有し、
前記音声出力部材は、前記表示パネルの前記矩形状の対向する２つの短辺に沿って設けられている
上記（１）〜（６）のいずれかに記載の表示装置。
【００４４】
本出願は、日本国特許庁において２０１２年６月２９日に出願された日本特許出願番号第２０１２−１４７３２３号および２０１２年１０月３０日に出願された日本特許出願番号第２０１２−２３８７０７号を基礎として優先権を主張するものであり、この出願のすべての内容を参照によって本出願に援用する。
【００４５】
当業者であれば、設計上の要件や他の要因に応じて、種々の修正、コンビネーション、サブコンビネーション、および変更を想到し得るが、それらは添付の請求の範囲やその均等物の範囲に含まれるものであることが理解される。
【図１】
2014002688.tif 000003
【図２】
2014002688.tif 000004
【図３】
2014002688.tif 000005
【図４】
2014002688.tif 000006
【図５】
2014002688.tif 000007
【図６】
2014002688.tif 000008
【図７】
2014002688.tif 000009
【図８】
2014002688.tif 000010
【図９Ａ】
2014002688.tif 000011
【図９Ｂ】
2014002688.tif 000012
【図９Ｃ】
2014002688.tif 000013
【図１０】
2014002688.tif 000014
【図１１Ａ】
2014002688.tif 000015
【図１１Ｂ】
2014002688.tif 000016
【国際調査報告】
2014002688.tif 000017
2014002688.tif 000018
2014002688.tif 000019
2014002688.tif 000020